(57)【要約】【課題】洗浄水が食器洗浄機の外部に流出するのを抑えることができる。【解決手段】上側扉体／下側扉体の開放作動に応じて前記洗浄ポンプの運転が停止する食器洗浄機において、上側扉体／下側扉体の開放は、僅かな開放の始期開放段階と全開の全開放段階を有し、かつ始期開放段階および全開放段階の開放状態が保持され、始期開放段階の開放状態には、上側扉体の下端縁と、下側扉体の上端縁との間に隙間が形成され、隙間は、前記噴射手段から噴射される噴射水が外部に通過するのを遮る程度の幅であることを特徴とする。【選択図】図２
2005296545.tif 000002
【特許請求の範囲】
【請求項１】
洗浄槽と、この洗浄槽の内底部に設けられ、かつ洗浄槽内に放射するように洗浄水を噴射する噴射手段と、この噴射手段に洗浄水を加圧供給する洗浄ポンプと、前記洗浄槽の前面に設けられている開口部を開け／閉めする上下方向に回動する上側扉体および下側扉体と、前記上側扉体／下側扉体の閉鎖状態を施錠する施錠手段と、前記上側扉体／下側扉体の開放作動に応じて前記洗浄ポンプの運転が停止する食器洗浄機において、
前記上側扉体／下側扉体の開放は、僅かな開放の始期開放段階と全開の全開放段階を有し、かつ前記始期開放段階および全開放段階の開放状態が保持され、
前記始期開放段階の開放状態には、前記上側扉体の下端縁と、前記下側扉体の上端縁との間に隙間が形成され、
前記隙間は、前記噴射手段から噴射される洗浄水の噴射流が外部に通過するのを遮る程度の幅であることを特徴とする食器洗浄機。
【請求項２】
請求項１記載の食器洗浄機において、
前記隙間の手前で前記噴射流の行く手を阻むつば部を前記上側扉体の内面側下縁部に下向きに延在するように設けたことを特徴とする食器洗浄機。
【請求項３】
請求項１記載の食器洗浄機において、
前記つば部は、前記上側扉体／下側扉体の閉成状態では下側扉体の内面側下部に重なることを特徴とする食器洗浄機。
【請求項４】
請求項１記載の食器洗浄機において、
前記上側扉体を支持する上側支持腕部材と、
前記下側扉体を支持し、かつ前記洗浄槽側に直接または介在部材を介して間接的に回動自在に支持される下側支持腕部材と、
この下側支持腕部材と前記上側支持腕部材とを連結し、かつ回動連結支点を介して回動自在に連結される二つの連結ロッドよりなる連結手段と、
一端側が前記洗浄槽側に回転自在支持され、中間あたりが前記上側支持腕部材に中間回動連結支点を介して回動自在に連結される支持腕部材用支持片と、
一端側が前記連結手段の回動連結支点に回動自在に連結され、他端側が前記支持腕部材用支持片の他端側に回転自在に、かつ移動自在に連結される閉鎖用ロッドと、
前記支持腕部材用支持片の回転角度を開放側部位と閉成側部位との範囲に規制する回転角度規制ストッパーとを有し、
前記上側扉体の開放に連れて回転して行く前記支持腕部材用支持片が、それ以上回転しないように前記回転角度規制ストッパーの開放側部位に規制された後には、前記上側支持腕部材は前記中間回動連結支点を中心として前記上側扉体の開放がすすむ方に回動し、
前記上側扉体の閉成に際しては、前記回転角度規制ストッパーの開放側部位に止まっていた前記支持腕部材用支持片を閉成側部位に前記閉鎖用ロッドで引き戻すことを特徴とする食器洗浄機。
【請求項５】
請求項４記載の食器洗浄機において、
閉鎖用ロッドには、前記支持腕部材用支持片とを連結する連結長溝を設け、この連結長溝に摺動自在に嵌まる連結ピンを前記支持腕部材用支持片に設けたことを特徴とする食器洗浄機。
【請求項６】
請求項５記載の食器洗浄機において、
前記連結長溝は前記閉鎖用ロッドの長手方向に形成されていることを特徴とする食器洗浄機。
【請求項７】
請求項１記載の食器洗浄機において、
前記上側扉体を支持する上側支持腕部材と、
前記下側扉体を支持し、かつ前記洗浄槽側に直接または介在部材を介して間接的に回動自在に支持される下側支持腕部材と、
この下側支持腕部材と前記上側支持腕部材とを連結し、かつ回動連結支点を介して回動自在に連結される二つの連結ロッドよりなる連結手段と、
一端側が前記洗浄槽側に回転自在支持され、中間あたりが前記上側支持腕部材に中間回動連結支点を介して回動自在に連結される支持腕部材用支持片と、
一端側が前記連結手段の回動連結支点に回動自在に連結され、他端側が前記支持腕部材用支持片の他端側に回転自在に、かつ移動自在に連結される閉鎖用ロッドと、
前記支持腕部材用支持片の回転角度を開放側部位と閉成側部位との範囲に規制する回転角度規制ストッパーとを有し、
前記上側扉体および前記下側扉体の開放に際し、開放側に移動して行く前記連結手段に戻す方向の力を付与する緩和バネを設けたことを特徴とする食器洗浄機。
【請求項８】
請求項７記載の食器洗浄機において、
前記緩和バネの戻す方向の力は、前記上側扉体および前記下側扉体の開放がすすむに連れて増すことを特徴とする食器洗浄機。
【請求項９】
請求項７記載の食器洗浄機において、
緩和バネとして引っ張式のバネを用い、この引っ張式のバネを前記連結手段の回動連結支点近傍と洗浄槽との間に架設したことを特徴とする食器洗浄機。
【発明の詳細な説明】
【技術分野】
【０００１】
本発明は、家庭で使用する食器洗浄機に関するものである。
【背景技術】
【０００２】
特開２００２−２１９０８３号公報（特許文献１）に記載されている従来の食器洗浄機は、下扉体と上扉体を少し開いてからハンドルに手を移して全部開放させる構成を有する。
【０００３】
【特許文献１】特開２００２−２１９０８３号公報
【発明の開示】
【発明が解決しようとする課題】
【０００４】
上記従来例は、下扉体と上扉体を少し開いた際に洗浄ノズル（噴射手段）から噴射する洗浄水の噴射流が少し開いた隙間から食器洗浄機の外部に流出する恐れがあった。
【０００５】
本発明は、洗浄水の噴射流が食器洗浄機の外部に流出するのを抑えることを目的とする。
【課題を解決するための手段】
【０００６】
本発明は、洗浄槽と、この洗浄槽内に洗浄水を噴射する噴射手段と、この噴射手段に洗浄水を加圧供給する洗浄ポンプと、前記洗浄槽の前面に設けられている開口部を開け／閉めする上下方向に回動する上側扉体および下側扉体と、前記上側扉体／下側扉体の閉鎖状態を施錠する施錠手段と、前記上側扉体／下側扉体の開放作動に応じて前記洗浄ポンプの運転が停止する食器洗浄機において、前記上側扉体／下側扉体の開放は、僅かな開放の始期開放段階と全開の全開放段階を有し、かつ前記始期開放段階および全開放段階の開放状態が保持され、前記始期開放段階の開放状態には、前記上側扉体の下端縁と、前記下側扉体の上端縁との間に隙間が形成され、前記隙間は、前記噴射手段から噴射される洗浄水の噴射流が外部に通過するのを遮る程度の幅であることを特徴とする。
【発明の効果】
【０００７】
本発明によれば、洗浄水の噴射流が食器洗浄機の外部に流出するのを抑えることができる。
【発明を実施するための最良の形態】
【０００８】
本発明の実施形態に関し、実施形態を示す図１〜図９に沿って説明する。
【０００９】
図１、図２、図３、図９に示すように食器洗浄機の本体外枠１０には、内部に洗浄槽１１が備わる。本体外枠１０は、ステンレス等の鋼板で、洗浄槽１１は耐熱性の合成樹脂で形成されている。本体外枠１０の前面側には、洗浄槽１１の前側に設けた開口部を開け閉めする上側扉体１２および下側扉体１３が備わる。
【００１０】
洗浄槽１１の下部には、洗浄水を噴射する回転噴射体１４（噴射手段）が備わる。回転噴射体１４は噴射孔１５を有し、この噴射孔１５より洗浄水や濯ぎ水が噴射される。回転噴射体１４よりも下方になる洗浄槽１１の底部には水溜部が設けられ、ここの洗浄水を洗浄ポンプで吸水／加圧して回転噴射体１４で洗浄槽１１内に噴射し、食器の洗浄を行う。
【００１１】
本体外枠１０の前側下部には、フロントパネル１６が設けられている。このフロントパネル１６には、食器洗浄機の運転を操作したり、制御したりする各種の制御装置が備わる。洗浄槽１１の開口部は、フロントパネル１６の上部から洗浄槽１１の天井にかけて形成された大きな開口になっている。
【００１２】
図３、図５、図６、図７、図８に示すように、下側扉体１３は、上下方向に回動するように洗浄槽１１側に支持されている。下側扉体１３は、間口巾に比べ、丈が短めになっている。このため、手前側に倒すように開いたときに下側扉体１３の突き出る長さが少なく、狭いところにも使い易い、使い勝手の良いものである。また開放された下側扉体１３は、ほぼ水平状態に置かれる。このため、洗浄槽から引き出された食器かごの食器から滴下する滴受けにもなる。
【００１３】
下側扉体１３は、これを支持する下側支持腕部材１７および支持基板１８（介在部材）をもって洗浄槽１１側に回動自在に支持される。支持基板１８（介在部材）は、図８に示すように、本体外枠１０と洗浄槽１１との狭い隙間の間に置かれ、かつ洗浄槽１１に取り付け固定される。下側支持腕部材１７を洗浄槽１１に直に取り付ける構成をとるときには支持基板１８（介在部材）を省略できる。
【００１４】
下側支持腕部材１７は、中間部が支持基板１８（介在部材）に回動自在に支持され、一端側が下側扉体１３にねじ等で取り付けられ、他端側が下側の連結ロッド１９に回転自在に連結される。
【００１５】
上側扉体１２は、下側扉体１３と同様、間口巾に比べ、丈が短めになっている。しかも、ほぼ中間から上側にかけて、本体外枠１０および洗浄槽１１の形状に倣って円弧形状を有する。本体外枠１０および洗浄槽１１は、前面上側コーナ部が凸形の円弧形状を有するので、それに倣った形状になっている。
【００１６】
上側扉体１２は、上側支持腕部材２０および支持腕部材用支持片３０を介して洗浄槽１１側に回動自在に支持される。上側支持腕部材２０は、一端が上側扉体１２にねじ等で取り付け固定され、他端が支持腕部材用支持片３０の中間あたり（中間近傍）に設けられる中間回動連結支点を介して回動自在に連結される。図８に示すように、支持腕部材用支持片３０の一端は、洗浄槽１１に回動自在に支持される。この支持腕部材用支持片３０および上側支持腕部材２０は、下側支持腕部材１７と同様、本体外枠１０と洗浄槽１１との狭い隙間の間に置かれる。
【００１７】
閉鎖用ロッド７０は、一端が連結手段３２回動連結支点に回動自在に連結され、他端が支持腕部材用支持片３０の他端側に回転自在に、かつ移動自在に連結される。閉鎖用ロッド７０の他端側には閉鎖用ロッドの長手方向に延在するように形成された連結長溝７１が設けられる。この連結長溝７１に、支持腕部材用支持片３０の他端側に設けられている連結ピン７２が摺動自在に嵌ることで、閉鎖用ロッド７０と支持腕部材用支持片３０とが、回転自在に、かつ移動自在に連結されるのである。支持腕部材用支持片３０の他端は、洗浄槽１１に設けた突起台３１に回動自在に支持されるので、支持腕部材用支持片３０の回動は円滑に行われる。
【００１８】
上側支持腕部材２０は、連結手段３２（リンク機構の連結手段）を介して下側支持腕部材１７に連結される。すなわち、連結手段３２は、二つの連結ロッド（下側の連結ロッド１９および上側の連結ロッド３３）を有する。二つの連結ロッドは、回動連結支点を介して回動自在に連結され、上側の連結ロッド３３の上端側が上側支持腕部材２０の中間部に回動連結支点を介して回動自在に連結され、さらに下側の連結ロッド１９の下端側が下側支持腕部材１７に回動連結支点を介して回動自在に連結されるのである。
【００１９】
支持腕部材用支持片３０の回動する角度を規制する回転角度規制ストッパー３４は、上側の角度規制ストッパー片３４Ａ（開放側部位）、下側の角度規制ストッパー片３４Ｂ（閉成側部位）を有する。回転角度は上側の角度規制ストッパー片３４Ａ（開放側部位）と下側の角度規制ストッパー片３４Ｂ（閉成側部位）との範囲に規制される。上側の角度規制ストッパー片３４Ａ、下側の角度規制ストッパー片３４Ｂは、合成樹脂により洗浄槽１１と一体的に形成される。この回転角度規制ストッパー３４で支持腕部材用支持片３０の回動する角度は、２０度程度に規制される。
【００２０】
支持片用加勢ばね３５は、支持腕部材用支持片３０を上側の角度規制ストッパー片３４Ａ側に向けて引くように備える。支持片用加勢ばね３５は、一端が洗浄槽１１の係合突起３６に、他端が支持腕部材用支持片３０の回動連結支点の近傍に係止される。
【００２１】
引きばね３７は、連結手段３２（下側の連結ロッド１９および上側の連結ロッド３３）の回動連結支点の近傍と上側支持腕部材２０の回動連結支点の近傍とを引き寄せるように備える。すなわち、引きばね３７は、一端を連結ロッド３３の回動連結支点の近傍に、他端を上側支持腕部材２０の回動連結支点の近傍に係止するように設けられる。
【００２２】
緩和バネ８０は、上側扉体１２および下側扉体１３の開放が緩やかに行われるように備える。この緩和バネ８０は、引っ張式のバネで前記連結手段３２の回動連結支点近傍と洗浄槽１１との間に張るように架設される。この緩和バネ８０は上側扉体１２および下側扉体１３の開放作動に際し、開放方向に向って移動する連結手段３２に戻す方向の力を付与する。
【００２３】
また、緩和バネ８０は、上側扉体１２／下側扉体１３を開き始める始期開放段階では上側扉体１２／下側扉体１３を付勢する作用（機能）を有する。逆に図６に示す抑制バネ９０は、緩和バネ８０の引っ張り力に抗して始期開放の動作が緩慢になるようにしている。
【００２４】
リンク案内溝３８は、連結手段３２（下側の連結ロッド１９および上側の連結ロッド３３）の回動連結支点に設けたローラ／ボール（移動部材）を移動自在に案内する。このリンク案内溝３８は、合成樹脂により洗浄槽１１と一体的に形成される。ローラ等の移動部材はリンク案内溝３８に嵌合した状態で移動する。
【００２５】
洗浄槽１１の外側面に沿って円弧を描くリンク案内溝３８は、上に昇りながら洗浄槽１１の手前側に向う軌跡を辿る。この軌跡は、上側扉体１２および下側扉体１３の開閉作動にともなってローラ等の移動部材が辿る軌跡と一致するように形成されている。
【００２６】
リンク案内溝３８の下部には、始期移動案内３８Ａが連通するように設けられる。始期移動案内３８Ａは、上側扉体１２および下側扉体１３が閉成状態にあるもとで、下側扉体１３だけが少し開き始める始期開放に際し、ローラの移動部材が辿る軌跡に沿って形成されている。
【００２７】
上側扉体１２および下側扉体１３の開閉にともなって嵌ったままリンク案内溝３８内を移動するローラの移動部材は、上側扉体１２および下側扉体１３の閉成状態にあっては始期移動案内３８Ａの端側（左端）に位置し、上側扉体１２および下側扉体１３の開放状態にあってはリンク案内溝３８の上端側に位置する。このリンク案内溝３８の上端側（一端）で、ローラの移動部材は、それよりも上側に移動できないように阻止される。このため、リンク案内溝３８の上端側（一端）は、移動部材の移動を阻止する阻止部３８Ｂになるもので、この阻止部３８Ｂで上側扉体１２および下側扉体１３の最大開放状態が規制される。
【００２８】
ローラの移動部材が摺動自在に支持されるリンク案内溝３８は、一つであるので構成が簡単である。
【００２９】
上側扉体１２／下側扉体１３の開放は、僅かな開放の始期開放段階と全開の全開放段階を有する。ローラの移動部材が始期移動案内３８Ａの右端側に置かれるときには、始期開放段階での開放状態が保持される。ローラの移動部材がリンク案内溝３８の最上段位置に置かれるときには、全開放段階での開放状態が保持される。
【００３０】
下側扉体１３には、表側にハンドル３９、ロックボタン４０（施錠解除釦）を、内側にドアラッチ５０（施錠手段）を備える。上側扉体１２および下側扉体１３の開け閉めは、ハンドル３９をもって行う。上側扉体１２および下側扉体１３は、ロックボタン４０を押してドアラッチ５０の係合を解除してからでないと開けることが出来ないように扉の施錠手段が備わっている。
【００３１】
洗浄槽１１の外側面には、格子状のリブ５１が合成樹脂により洗浄槽１１と一体的に形成されている。このリブ５１を設けることで、合成樹脂で形成されている肉厚の薄い洗浄槽１１の剛性を上げることができる。またリブ５１は、下側の連結ロッド１９、上側の連結ロッド３３、上側支持腕部材２０、下側支持腕部材１７、支持腕部材用支持片３０等の作動する際に大きく振れ動くのを阻止する振れ抑えリブの機能をも有する。下側の連結ロッド１９や上側の連結ロッド３３等がリブ５１に当接して摺動自在に案内されるので、上側扉体１２および下側扉体１３の開け閉め時の横振れが緩和される。
【００３２】
次に本発明の実施形態を動作の面から述べる。
【００３３】
図１、図５は、上側扉体１２および下側扉体１３が閉鎖されている状態を示す。
【００３４】
この状態で洗浄運転が行われる。ドアラッチ５０の係合で施錠されているので、洗浄運転中に上側扉体１２および下側扉体１３が開かれることは生じない。またロックボタン４０の操作で施錠解除をしないかぎり、ハンドル３９を引いても上側扉体１２および下側扉体１３は開かれないので、安全である。
【００３５】
さて、ロックボタン４０（施錠解除釦）を押してドアラッチ５０（施錠手段）の施錠を解除すると、図２、図４、図６、図９に示すように上側扉体１２／下側扉体１３が開かれる。この段階では上側扉体１２が主に開かれ、上側扉体１２が幾分前方に突き出した状態に置かれる。見た目には、上側扉体１２だけが開いたような様子である。
【００３６】
さて、下側扉体１３を開き始める始期開放の段階では、連結手段３２であるリンク機構のローラが始期移動案内３８Ａ内をリンク案内溝３８側に向って移動する。そのローラの移動は、上側支持腕部材２０の中間部の回動連結支点を中心とした上側の連結ロッド３３の円運動軌跡を辿るので、上側支持腕部材２０が動かされる操作力は生じず、下側扉体１３だけが開かれることになる。この下側扉体１３の開放が少し行われてから、上側扉体１２の開放も加わり、上側扉体１２および下側扉体１３が全面的に開かれる開放に至るのである。
【００３７】
なお、始期開放が完了した段階では、前述したように上側扉体１２が幾分前方に突き出した状態に置かれ、この始期開放したままの状態が保持されるようになっている。
【００３８】
上述した下側扉体１３の始期開放後に上側扉体１２の開放が行なわれる機構は、移動部材（ローラ）ガイドであるリンク案内溝３８に始期移動案内３８Ａを追加延長するだけで達成できるので、極めて簡単な構成により実現できる。
【００３９】
上側扉体１２および下側扉体１３が閉じられる動作は、上述した開放に際する動作の逆を辿って、最後に下側扉体１３だけの閉鎖動作によって図５に示すような上側扉体１２および下側扉体１３の閉成状態に戻る。
【００４０】
このように上側扉体１２／下側扉体１３の開放始期や閉成終了間際に下側扉体１３だけが回動作動するようにしたのは、上側扉体１２と下側扉体１３の間に設けるシールパッキングのシールが良く行われるようにしたものである。上側扉体１２が閉じられた後から下側扉体１３が閉じられることで、そのシールパッキングが上側扉体１２と下側扉体１３の間に挟持され、シールが良く行われる。開放始期には下側扉体１３が先行して開かれ、その後に上側扉体１２が開かれるので、シールパッキングに無理な力がかかることなく、上側扉体１２／下側扉体１３の開放作動が軽く円滑に行なわれるのである。
【００４１】
上述したように下側扉体１３の始期開放後に上側扉体１２の開放動作が下側扉体１３の開放動作とともに行われる。この上側扉体１２の開放動作に際し、連結手段３２であるリンク機構のローラがリンク案内溝３８を上に向って移動するので、下側の連結ロッド１９も上側の連結ロッド３３も上に移動する。上側の連結ロッド３３の上移動で上側支持腕部材２０が持ち上げられるので、上側扉体１２は開放動作する。下側の連結ロッド１９の上移動で、下側支持腕部材１７を介して下側扉体１３の開放動作が行われる。
【００４２】
上側扉体１２の開放始期動作について、図６に沿って述べる。
【００４３】
下側扉体１３の始期開放が完了した状態（図６）では、支持腕部材用支持片３０は回転角度規制ストッパー３４の下側の角度規制ストッパー片３４Ｂ側に位置する。上側の連結ロッド３３の上移動で上側支持腕部材２０が持ち上げられるにともない支持腕部材用支持片３０は洗浄槽１１側に支持される支点を中心に上側に回動して、上側の角度規制ストッパー片３４Ａ側に当接するところまで移動する。
【００４４】
この支持腕部材用支持片３０の上側の回動で、上側支持腕部材２０は支持腕部材用支持片３０の支点を中心とする大きな回動（大きな回動半径）になるため、上側扉体１２は斜め上方に離れて行くように回転し、上側扉体１２が前方に突き出すように作動する。こんため、始期開放が完了した状態では下側扉体１３が開放し、上側扉体１２が開放していないように見えるのである。
【００４５】
この始期開放では、上側支持腕部材２０は支持腕部材用支持片３０との回動連結支点を中心とするものに比べて大きな回動になるため、上側扉体１２は斜め上方に離れて行くように回動になる。この開放始期動作により、上側扉体１２が洗浄槽１１から離れるため、上側扉体１２と洗浄槽１１との合わせ部に設けられているシールパッキングと上側扉体１２との摩擦が少なくなり、上側扉体１２の開放作動が軽く、かつ円滑に行われるとともにシールパッキングの磨耗も少なくなる良さを期待できる。
【００４６】
上側扉体１２が閉成される際には、上側扉体１２の最終閉鎖段階で洗浄槽１１に近づくような回動になるので、上側扉体１２の開放作動時と同じような良さを期待できるのである。
【００４７】
上述した上側扉体１２の開放始期動作が完了した後には、上側扉体１２は支持腕部材用支持片３０との回動連結支点を中心とする回動に移行する。移行後の上側扉体１２の回動は、支持腕部材用支持片３０の支点を中心とする回動に比べて小さいが、既にシールパッキングから離間しているので、シールパッキングに摺ることもなく、円滑な開放作動が行われるのである。
【００４８】
また、こうして、開放始期動作完了後の上側扉体１２の回動半径を小さくしたのは、食器洗浄機の使用時を含めた全体的なサイズをコンパクトに抑えることにある。後で詳しくのべる。
【００４９】
支持片用加勢ばね３５について図６を引用して述べる。
【００５０】
支持片用加勢ばね３５を備えたのは、下側扉体１３の始期開放完了（図６）から上側扉体１２の開放始期完了に移る動作が確実に行われるようにしたためである。
【００５１】
すなわち、連結ロッド３３の上移動で、上側支持腕部材２０が持ち上げられて行く際に支持片用加勢ばね３５が備えられていないと、支持腕部材用支持片３０が、下側の角度規制ストッパー片３４Ｂ側から上側の角度規制ストッパー片３４Ａ側に移る回転移動が行われないことが生じやすい。
【００５２】
もし、支持腕部材用支持片３０が、上側の角度規制ストッパー片３４Ａ側に移らないと、上側支持腕部材２０は支持腕部材用支持片３０と上側支持腕部材２０との回動連結支点を中心とした小さな回動半径の回動になるため、前述したような上側扉体１２が斜め上方に離れて行く動作は得られない。
【００５３】
支持片用加勢ばね３５が設けられることで、支持腕部材用支持片３０と上側支持腕部材２０との回動連結支点は、常に上向きの力が付勢され、連結ロッド３３の上移動で、上側支持腕部材２０が持ち上げられて行く際に支持腕部材用支持片３０が、下側の角度規制ストッパー片３４Ｂ側から上側の角度規制ストッパー片３４Ａ側に移る回転移動が確実に行われるのである。
【００５４】
また、支持片用加勢ばね３５が設けられることで、上側扉体１２の閉成動作でも、上側扉体１２が最終的の閉鎖段階に移るまで上側扉体１２は洗浄槽１１から離れた動作を期待できるものである。
【００５５】
引きばね３７について図６を引用して述べる。
【００５６】
引きばね３７を備えたのは、下側扉体１３の始期開放完了（図６）から上側扉体１２の開放始期完了に移る動作が円滑に行われるようにしたためである。
【００５７】
すなわち、連結ロッド３３の上移動で、上側支持腕部材２０が持ち上げられて行く際に引きばね３７が備えられていないと、上側支持腕部材２０は、左右の吊り合いが保たれず、上側扉体１２側の方が下がる。始期開放状態にある下側扉体１３の上端側に上側扉体１２の下端側が接触してしまい、下側扉体１３および上側扉体１２の開放作動が円滑に行われなくなる。
【００５８】
引きばね３７が備えられることで、上側支持腕部材２０は、上側扉体１２側とは反対側が下方に引かれ、左右の吊り合いが保たれ（上側扉体１２側が持ち上げられ）、図６に示すような状態（下側扉体１３の上端側と上側扉体１２の下端側との接触が解消される）が維持される。こうして、下側扉体１３および上側扉体１２の円滑な開放作動が行われるのである。
【００５９】
また、上側扉体１２側を持ち上げられることで、上側扉体１２の下端内側が洗浄槽１１に接触することもなくなるので、下側扉体１３および上側扉体１２の円滑な開放作動が得られることはもちろん、シールパッキングの摩滅も解消される。
【００６０】
上述した下側扉体１３および上側扉体１２の一連の開閉作動を通じて下側扉体１３および上側扉体１２の荷重の大部分は、下側支持腕部材１７ないし支持腕部材用支持片３０の支点で受けられる。このため、ローラ（移動部材）が嵌るリンク案内溝３８には大きな荷重がかからないので、ローラ（移動部材）の円滑な摺動が期待でき、下側扉体１３および上側扉体１２の開け閉めが軽く、円滑に行なわれる。
【００６１】
上側扉体１２および下側扉体１３の完全なる開放状態（最大開放状態）について、図７を引用して説明する。
【００６２】
下側扉体１３は下方に、上側扉体１２は上方に回動するように開放作動して図７に示す状態に置かれる。この状態が完全開放状態で、開放したままの状態が保持されるようになっている。この完全開放状態では、洗浄槽１１の前面側の開口部は、全部に開放された状態になり、図５に示すように食器かご６０を洗浄槽１１から引き出して食器類６１の出し入れを容易に行なうことができる。
【００６３】
また、完全開放状態では、連結手段３２であるリンク機構のローラ（上側の連結ロッド３３と下側の連結ロッド１９との回動連結支点）がリンク案内溝３８の阻止部３８Ｂに位置する。
【００６４】
すなわち、上側扉体１２および下側扉体１３の開閉作動のともなって軌跡上を移動するリンク機構の回動連結支点が、上側扉体１２および下側扉体１３の完全開放状態（全開状態）ではリンク運動の死点を過ぎた位置に来ることになるので、その完全開放状態が保持される。このため、上側扉体１２および下側扉体１３が自然に閉じてしまう不具合が生じない。
【００６５】
また、完全開放状態では、リンク機構のローラがリンク案内溝３８の阻止部３８Ｂに抑えられ拘束されるため、上側扉体１２および下側扉体１３がそれ以上に開放方向に動くこともなく、安定した状態に保たれるのである。
【００６６】
これに加え、上側扉体１２を掴んで閉じる方向に下げようとしても、上側扉体１２の閉成作動は阻止される。すなわち、リンク機構の回動連結支点が、リンク運動の死点を過ぎた位置にあるため、上側扉体１２から上側の連結ロッド３３を介してローラに加わる力の向きはローラを阻止部３８Ｂに押し付ける方向になり、上側扉体１２の閉成は阻止される。上側扉体１２を掴んで、うっかり閉じようとしても、上側扉体１２の閉成は阻止されるので、引き出されている食器かご６０に上側扉体１２をぶつけてしまうことが未然に防止されるので安全である。
【００６７】
なお、下側扉体１３を掴んで閉じるときは、下側の連結ロッド１９を介してローラに加わる力の向きはローラを下げる方向になるので、上側扉体１２および下側扉体１３の開閉は行なわれる。下側扉体１３の上側に引き出されている食器かご６０が存在するときは、下側扉体１３を閉成することはないので、食器を損傷してしまうことは生じ難い。
【００６８】
上側扉体１２は中間から上側にかけて円弧形状にしているので、本体外枠１０の後面上側コーナ部を面取りした形状（洗浄槽１１も同様である）にすることにより、食器洗浄機のコンパクト化に応えることができる。
【００６９】
さらに上側扉体１２と本体外枠１０の上側面との隙間が指の太さを上回る程度（８ｍｍ程度）にしているので、上側扉体１２が押されて多少撓んでも、本体外枠１０の上側面に押力がかからないのである。
【００７０】
閉鎖用ロッドの機能に関して、図５、図６、図７を引用して述べる。
【００７１】
上側扉体１２および下側扉体１３が完全に開放状態（図７）にあるときには、連結ピン７２が閉鎖用ロッド７０の連結長溝７１の下側に位置する。上側扉体１２が閉じられ、下側扉体１３だけが僅かに開いている状態（図６）では、連結ピン７２が閉鎖用ロッド７０の連結長溝７１の最上に位置する。このため、下側扉体１３の閉成が更にすすむと、閉鎖用ロッド７０の下方移動にともない、支持腕部材用支持片３０の他端側が下方に引かれるので、支持腕部材用支持片３０は支点を中心として下側に回転移動する。この支持腕部材用支持片３０の下側回転移動で、上側支持腕部材２０は、本体外枠１０の後側向き下方に移動する力を受けるため、上側扉体１２の閉鎖が強制的に確実に行われる。これにより、上側扉体１２は洗浄槽１１の前面側の開口部に押圧され、シールパッキングとの水密が良く行われる。
【００７２】
また、上側扉体１２の閉鎖が確実に行われるので、上側扉体１２と下扉体３との合わせも良く行われる。
【００７３】
なお、閉鎖用ロッド７０がなくても、支持腕部材用支持片３０の下側回転移動が行われるように支持片用加勢ばね３５、引きばね３７等の強さは選ばれているが、種々のバラツキ、精度ないし経年変化等で下側回転移動の動作不良が来たしても、閉鎖用ロッド７０を設けることにより、強制的に下側回転移動が行われるので、上側扉体１２の閉鎖時に水密は確実に行われる。
【００７４】
緩和バネの機能に関して図５、図６、図７を引用して述べる。
【００７５】
緩和バネ８０は、図６（下扉体１３の始期開放状態）ところが最小の伸び長さになる。
図５（閉成状態）のところでは、緩和バネ８０は図６（下扉体１３の始期開放状態）ところよりも始期移動案内３８Ａの長さ分しか伸びないので、図５と図６では殆ど伸び長さに違いはない。
【００７６】
この緩和バネ８０の引っ張力に抗する抑制バネ９０が備わる。始期開放状態が完了したところでは、緩和バネ８０と抑制バネ９０の引っ張り力が釣り合って始期開放状態が保持されるようになる。
【００７７】
すなわち、図５（閉成状態）において、ロックボタン４０（施錠解除釦）の押圧操作でドアラッチ５０（施錠手段）を解除すると、緩和バネ８０の引っ張り力で始期開放が行われる。そして、連結手段３２のリンク機構のローラが始期移動案内３８Ａ内の左端から右に移動して右端に来たところで、始期開放状態が完了する。この始期開放完了のところで
、緩和バネ８０と抑制バネ９０の引っ張り力が釣り合って上側扉体１２／下扉体１３の始期開放完了状態が保持される。上側扉体１２／下扉体１３の全開放は、ハンドル３９をもって行う。
【００７８】
上扉体１２および下扉体１３の開放がすすむに連れて、緩和バネ８０は、伸びつづけ、図７（完全な開放状態）のところで伸び長さが最大になる。つまり、扉体の開放がすすむに連れて増すことを緩和バネ８０の戻し力は増すようになっている。
【００７９】
一方、上扉体１２および下扉体１３の開放がすすむにつれて、扉自体の自重で開放する力が大きくなるが、緩和バネ８０の戻し力も増すので、吊り合いがとれ、扉体の開放動作が緩やかに行われる。扉体を開ける際に衝撃が生じず、使い勝手の良い食器洗浄機を提供できる。
【００８０】
次に運転中の上扉体／下扉体の開放について図６、図９を引用して述べる。
【００８１】
上扉体１２／下扉体１３の開放は、通常、食器洗機の運転が停止してから行うが、運転中に開くこともある。
【００８２】
洗浄ポンプは、上扉体１２／下扉体１３の開放に連動して停止（スイッテがオフしてモータの通電が停止）する。しかし、洗浄ポンプの余勢回転や回転噴射体１４の余勢回転で少しの間、回転噴射体１４からの洗浄水の噴射が残る。このとき、始期開放した上扉体１２／下扉体１３の隙間から洗浄水が漏れ出す恐れがある。
【００８３】
しかし、上扉体１２／下扉体１３の隙間は図６、図９に示すような構成にしているので、洗浄水の漏れ出しは抑えられる。
【００８４】
すなわち、始期開放段階の開放状態では、上側扉体１２の下端縁と、下側扉体１３の上端縁との間に隙間が形成される。この隙間の幅Ｇは、３〜１５ｍｍ程度にした。回転噴射体１４（噴射手段）からは、洗浄槽１１に向けて洗浄水の噴射流が点線で示すように放射状に噴射される。隙間の幅Ｇは、図９に示すように洗浄水の噴射流が外部に通過するのを遮る程度の幅であるので、洗浄噴射流の流出が抑えられる。
【００８５】
また、上側扉体１２は内面側下縁部に下向きに延在するつば部１００を有する。このつば部１００は、隙間の手前で洗浄噴射流の行く手を阻むので、洗浄水の流出は更に抑えられる。
【００８６】
さらに、上側扉体１２／下側扉体１３の閉成状態では、つば部１００が下側扉体１３の内面側下部に重なるので上側扉体１２／下側扉体１３の合わせ目のシールが更によくなり、食器洗機の運転中の洗浄水流出防止が更に高まる。
【００８７】
また、つば部１００の外側面にシール部材１１０が設けられている。上側扉体１２／下側扉体１３の閉成状態では、上側扉体１２／下側扉体１３の合わせ目に挟まって更にシールが良く行なわれる。
【図面の簡単な説明】
【００８８】
【図１】本発明の実施形態に係わるもので、食器洗浄機の正面図である。
【図２】本発明の実施形態に係わる食器洗浄機の斜視図で、上側扉体／下側扉体が僅かに開放した状態を示す。
【図３】本発明の実施形態に係わる食器洗浄機の斜視図で、下側扉体の全部開放した状態を示す。
【図４】本発明の実施形態に係わる食器洗浄機の縦断面図で、上側扉体／下側扉体が僅かに開放した状態を示す。
【図５】本発明の実施形態に係わる食器洗浄機の縦断面図で、上側扉体／下側扉体が閉成している状態を示している。
【図６】本発明の実施形態に係わる食器洗浄機の縦断面図で、上側扉体／下側扉体が僅かに開いた状態を示す図。
【図７】本発明の実施形態に係わる食器洗浄機の縦断面図で、上側扉体／下側扉体を全部開いた状態を示す図。
【図８】本発明の実施形態に係わるもので、洗浄槽の外面側のリブとリンク機構等との関係を示す図。
【図９】本発明の実施形態に係わるもので、洗浄水が食器洗浄機の外部に流出するのを抑える洗浄水流出抑を示す図。
【符号の説明】
【００８９】
１０…本体外枠、１１…洗浄槽、１２…上側扉体、１３…下側扉体、１４…回転噴射体、１５…噴射孔、１６…フロントパネル、１７…下側支持腕部材、１８…支持基板、１９…下側の連結ロッド、２０…上側支持腕部材、３０…支持腕部材用支持片、３１…突起台、３２…連結手段、３３…上側の連結ロッド、３４…回転角度規制ストッパー、３４Ａ…上側の角度規制ストッパー片、３４Ｂ…下側の角度規制ストッパー片、３５…支持片用加勢ばね、３６…係合突起、３７…引きばね、３８…リンク案内溝、３９…ハンドル、４０…ロックボタン、５０…ドアラッチ、５１…格子状のリブ、６０…食器かご、６１…食器類、７０…閉鎖用ロッド、７１…連結長溝、７２…連結ピン、８０…緩和バネ、９０…抑制バネ、１００…つば部、Ｇ…隙間、１１０…シール部材。
【図１】
2005296545.tif 000003
【図２】
2005296545.tif 000004
【図３】
2005296545.tif 000005
【図４】
2005296545.tif 000006
【図５】
2005296545.tif 000007
【図６】
2005296545.tif 000008
【図７】
2005296545.tif 000009
【図８】
2005296545.tif 000010
【図９】
2005296545.tif 000011